(57)【特許請求の範囲】
【請求項１】
伸縮自在に組み合わされた一対の足場板本体からなり、各足場板本体は足場板幅方向に一定間隔をおいて互いに平行に配置された複数の足場板部材を有し、一方の足場板本体の足場板部材が他方の足場板本体の足場板部材相互間に足場板長さ方向に相対移動自在に配置されてなる伸縮式足場板において、各足場板部材にはその上側面の両側縁部に夫々凸条部が足場板長手方向に一体に条設され、各凸条部にはその長手方向に凸部と凹部とが交互に連続するように形成されると共に、その上面側の中心部側に前記両側縁部の前記凸状部の突出高さよりも低い凸状部が足場板長手方向に延びて条設されてなることを特徴とする伸縮式足場板。
【請求項２】
各足場板部材は、その上下両側面の夫々の両側縁部に夫々凸条部が足場板長手方向に一体に条設され、各凸条部にはその長手方向に山部と凹部とが交互に連続するように形成されると共に、その上下両側面の中心部側に前記両側縁部の前記凸状部の突出高さよりも低い凸状部が足場板長手方向に延びて条設されてなることを特徴とする請求項１に記載の伸縮式足場板。
【発明の詳細な説明】
【技術分野】
【０００１】
本発明は、内装工事現場その他の作業場所で脚立等と合わせて使用される伸縮式足場板に関するもので、特に、一対の足場板本体からなり、各足場板本体が足場板幅方向に一定間隔をおいて互いに平行に配置された複数の足場板部材を有し、一方の足場板本体の足場板部材が他方の足場板本体の足場板部材間に足場板長さ方向に相対移動自在に配置されてなる伸縮式足場板に関する。
【背景技術】
【０００２】
従来この種の伸縮式足場板として、特許公報等の公知文献を具体的に挙げることはできないが、この種の足場板では、各足場板部材がアルミ押出型材によって形成されていて、各足場板部材の上面には、一般に、その長手方向に延びる凸条部や凹条部を複数条設することによって滑り止めが施されている。しかし、このように足場板部材の長手方向に延びる凸条部や凹条部によっては、作業時における作業者の靴等に対する滑り止め効果を十分発揮できず、作業中足場板上での滑りが発生し易かった。
【発明の開示】
【発明が解決しようとする課題】
【０００３】
本発明は、上記の問題に鑑み、作業者の靴等に対して全方向に滑り止め効果を有効且つ十分に発揮し得て、作業の安全性の向上を図ることができる伸縮式足場板を提供することを目的とする。
【課題を解決するための手段】
【０００４】
上記課題を解決するための手段を、後述する実施形態の参照符号を付して説明すると、請求項１に係る発明は、伸縮自在に組み合わされた一対の足場板本体２，３からなり、各足場板本体２，３は足場板幅方向に一定間隔をおいて互いに平行に配置された複数の足場板部材４，５，６，７，８を有し、一方の足場板本体２の足場板部材４，５，５，５，５が他方の足場板本体３の足場板部材足場板部材６，７，７，７，８相互間に足場板長さ方向に相対移動自在に配置されてなる伸縮式足場板において、各足場板部材４，５，６，７，８にはその上側面ａの両側縁部に夫々凸条部１４が足場板長手方向に一体に条設され、各凸条部１４にはその長手方向に凸部１５と凹部１６とが交互に連続するように形成されと共に、その上側面ａの中心部側に前記両側縁部の前記凸状部１４の突出高さよりも低い凸状部１７，１８，１９が足場板長手方向に延びて条設されてなることを特徴とする。
【０００５】
請求項２は、請求項１に記載の伸縮式足場板において、各足場板部材４，５，６，７，８は、その上下両側面ａ，ｂの夫々の両側縁部に夫々凸条部１４が足場板長手方向に一体に条設され、各凸条部１４にはその長手方向に凸部１５と凹部１６とが交互に連続するように形成されると共に、その上下両側面ａ，ｂの中心部側に前記両側縁部の前記凸状部１４の突出高さよりも低い凸状部１７，１８，１９が足場板長手方向に延びて条設されてなることを特徴とする。
【発明の効果】
【０００６】
上記解決手段による発明の効果を、後述する実施形態の参照符号を付して説明すると、請求項１に係る発明によれば、各足場板部材４，５，６，７，８にはその上側面ａの両側縁部に夫々凸条部１４が足場板長手方向に一体に条設されていて、各凸条部１４にはその長手方向に凸部１５と凹部１６とが交互に連続するように形成されていることによって、この足場板１の使用に際し、作業者の靴等が足場板１の上面側（踏み面側）をその長さ方向と交差する方向に摺動するような時は、各足場板部材４，５，６，７，８の凸条部１４が滑り止めとして作用し、また作業者の靴等が足場板１の長さ方向に摺動するような時は、各凸条部１４に形成されている凸部１５と凹部１６とが滑り止めとして作用するから、足場板１上における作業者の靴等に対し全方向に滑り止め効果を有効且つ十分に発揮して作業の安全性の向上を図ることができる。
【０００７】
この場合、各足場板部材４，５，６，７，８の凸条部１４は、その上側面ａの両側縁部に条設された凸条部であり、しかしてその上側面ａにおける両側縁部の凸条部１４，１４の間が一段低くなって凹溝を形成した状態となるから、特に足場板の長さ方向と交差する方向に対する滑り止め効果をより有効に発揮することができる。
更に、各足場板部材４，５，６，７，８の上側面ａの両側縁部に条設された前記凸条部１４の突出高さよりも低い凸状部１７，１８，１９がその上側面ａの中心部側に足場板長手方向に延びて条設されてなるため、上側面ａにおける両側縁部の凸条部１４，１４の間が一段低くなって凹溝の形成を維持しながら、各足場板部材４，５，６，７，８の上側面ａをその長手方向全域にかけて補強する補強リブとして作用し、伸縮式足場板を形成する各足場板部材４，５，６，７，８の強度を強固に維持することができる。
【０００８】
請求項２に係る発明によれば、各足場板部材４，５，６，７，８はその上下両側面ａ，ｂの夫々の両側縁部に夫々凸条部１４が足場板長手方向に一体に条設され、各凸条部１４にはその長手方向に凸部１５と凹部１６とが交互に連続するように形成されているから、この伸縮式足場板１の両端部を脚立、足場台、階段等の足場板保持構造物に載置して使用する場合に、各足場板部材４，５，６，７，８の下側面ｂ側の凸条部１４及びその凹凸部１５，１６が、その足場板保持構造物の接触面に対し滑り止め効果を発揮して、それらとの接地力を強め、それによって足場板の滑りを発生し難くする効果がある。
この場合、各足場板部材４，５，６，７，８の凸条部１４は、その上側面ａの両側縁部に条設された凸条部であり、しかしてその上側面ａにおける両側縁部の凸条部１４，１４の間が一段低くなって凹溝を形成した状態となるから、特に足場板の長さ方向と交差する方向に対する滑り止め効果をより有効に発揮することができる。
更に、各足場板部材４，５，６，７，８の上側面ａの両側縁部に条設された前記凸条部１４の突出高さよりも低い凸状部１７，１８，１９がその上下両側面ａ，ｂの中心部側に足場板長手方向に延びて条設されてなるため、上側面ａにおける両側縁部の凸条部１４，１４の間が一段低くなって凹溝の形成を維持しながら、各足場板部材４，５，６，７，８の上側面ａをその長手方向全域にかけて補強する補強リブとして作用し、伸縮式足場板を形成する各足場板部材４，５，６，７，８の強度を強固に維持することができる。
【発明を実施するための最良の形態】
【０００９】
以下に本発明の好適な実施形態を図面に基づいて説明すると、図１の(a) は本発明に係る伸縮式足場板１の全体概略斜視図、(b) は(a) の矢印Ｘにて示す部分の拡大図であり、図２は図１の(b) のＹ−Ｙ線拡大断面図である。この伸縮式足場板１は、足場板長さ方向に相対移動自在で伸縮自在に組み合わされた一対の足場板本体２，３からなり、各足場板本体２，３は、足場板幅方向に一定間隔をおいて互いに平行に配置された夫々５本ずつの足場板部材４，５，６，７，８からなるもので、一方の足場板本体２の足場板部材４，５，５，５，５が他方の足場板本体３の足場板部材６，７，７，７，８相互間に足場板長さ方向に相対移動自在に配置されている。
【００１０】
一方の足場板本体２の足場板部材４，５，５，５，５の足場板長さ方向一端部及び他方の足場板本体３の足場板部材６，７，７，７，８の足場板長さ方向一端部は、夫々、バンドプレート９，１０によって相互に連結され、また一方の足場板本体２の足場板部材４，５，５，５，５の足場板長さ方向他端部及び他方の足場板本体３の足場板部材６，７，７，７，８の足場板長さ方向他端部は、夫々、全ての足場板部材４，５，６，７，８に亘るように外嵌されたバンドプレート１１，１２によって相互に連結されている。
【００１１】
図２は一方の足場板本体２の足場板部材４，５，５，５，５の他端部側が一方のバンドプレート１１によって相互連結された部分の断面構造を示したもので、この一方のバンドプレート１１は、一方の足場板本体２の足場板部材４，５，５，５，５の夫々他端部にビス１３止め（あるいはリベット止め）され、他方のバンドプレート１２は、図示は省略するが、他方の足場板本体３の足場板部材６，７，７，７，８の夫々他端部にビス１３止め（あるいはリベット止め）され、従って両足場板本体２，３は足場板長さ方向に相対移動自在とされ、それによって足場板８は長さ方向に伸縮自在に構成されている。
【００１２】
また、図１及び図２に示すように、両足場板本体２，３の足場板長さ方向両端部には、夫々棒状体からなる伸縮操作用ハンドル２５，２６が設けられている。即ち、図１の(b)
は足場板本体３の一端部に設けられたハンドル２６を示しており、このハンドル２６は、足場板本体３を構成する足場板部材６，７，７，７，８の足場板幅方向両端部の足場板部材６，８の先端部間にブラケット２７，２７を介して横架されている。このように足場板本体３の足場板幅方向両端部の足場板部材６，８の先端部間にハンドル２６が横架されるため、その中間の足場板部材７，７，７の夫々先端部が切除され、しかしてこれら先端部が切除された足場板部材７，７，７とその両端側の足場板部材６，８とがバンドプレート１０によって相互に連結されている。足場板本体２の一端部に設けられたハンドル２５の取付構造も上記ハンドル２６と同様である。
【００１３】
上記のように両足場板本体２，３の足場板長さ方向両端部に伸縮操作用のハンドル２５，２６を設けたことにより、足場板本体２，３の伸縮操作を簡単容易に行なうことができる。またハンドル２５，２６は棒状体であるため、掴み易く、足場板本体２，３の伸縮操作が一層容易に行なえる。また、この棒状体からなるハンドル２５，２６は、図１の(b)
に示すように、足場板本体３を構成する足場板部材４，５，５，５，５（６，７，７，７，８）の足場板幅方向両端側の足場板部材４，５（６，８）間に横架されるから、足場板本体２，３の足場板長さ方向両端部に嵩張ることがなく的確に取り付けできる。
【００１４】
上記一方の足場板本体２の一部を構成する足場板部材５と、他方の足場板本体３の一部を構成する足場板部材７とは同じ断面形状のアルミ押出型材、即ち断面が縦長矩形状の角筒状型材によって形成されたもので、この足場板部材５，７の一部を示す斜視図が図３の(a) であり、同図の(b) はその拡大斜視図を示す。
【００１５】
上記一方の足場板本体２における足場板幅方向一端側の足場板部材４と、この足場板部材６に対向する、他方の足場板本体３の足場板幅方向一端側の足場板部材６との間には、両方の足場板本体２，３を所要の伸縮位置にロックするためのロック装置Ｒが介装されている。尚、この伸縮式足場板１は、その上面側と下面側とは同じ形状であって、上下何れの側を上向きにして使用してもよい。
【００１６】
上記足場板部材５，７には、図３の(a) ，(b) に示すように、その上側面ａの両側縁部に夫々凸条部１４が足場板長手方向に一体に条設され、各凸条部１４にはその長手方向に凸部１５と凹部１６とが交互に連続する鋸歯状に形成されており、この凸条部１４自体と、この凸条部１４に形成された凸部１５及び凹部１６とによって滑り止めが構成される。また、図示は省略するが、この足場板部材５，７の下側面ｂの両側縁部にも夫々同じような凸条部が足場板長手方向に一体に条設され、各凸条部にはその長手方向に凸部と凹部とが交互に連続する鋸歯状に形成されていて、この凸条部自体と、この凸条部の凸部及び凹部とによって滑り止めが構成される。尚、図３において、１７は足場板部材５，７の上側面ａ及び下側面ｂの夫々中心部側に条設された足場板長さ長手方向に延びる凸条部で、足場板部材５，７の上下各側面ａ，ｂからの突出高さは前記凸条部１４の突出高さよりも低い。
【００１７】
また、一方の足場板本体２の一部を構成する足場板部材４と、他方の足場板本体３の一部を構成する足場板部材８とは同じ断面形状のアルミ押出型材、即ち断面が略々コ字形を成すリップ付き溝型材により形成されたもので、この足場板部材４，８の一部を示す斜視図が図４の(a) であり、同図の(b) はその拡大斜視図を示す。
【００１８】
上記足場板部材４，８には、図４の(a) ，(b) に示すように、その上側面ａの両側縁部に夫々凸条部１４が足場板長手方向に一体に条設され、各凸条部１４にはその長手方向に凸部１５と凹部１６とが交互に連続する鋸歯状に形成されており、この凸条部１４自体と、この凸条部１４に形成された凸部１５及び凹部１６とによって滑り止めが構成される。また図示は省略するが、この足場板部材４，８の下側面ｂの両側縁部にも夫々同じような凸条部が足場板長手方向に一体に条設され、各凸条部にはその長手方向に凸部と凹部とが交互に連続する鋸歯状に形成されていて、この凸条部１４自体と、この凸条部１４の凸部１５及び凹部１６とにより滑り止めが構成される。この図４において、１８は足場板部材４，８の上側面ａ及び下側面ｂの夫々両側縁部の間に条設された足場板長さ長手方向に延びる凸条部で、足場板部材４，８の上下各側面ａ，ｂからの突出高さは前記凸条部１４の突出高さよりも低い。
【００１９】
図５の(a) は足場板本体３を構成する５本の足場板部材６，７，７，７，８のうちの、ロック装置Ｒが介装される足場板部材６の一部拡大斜視図であり、(b) はその断面図である。この足場板部材６は、断面が略々コ字形の型材からなるもので、上側面ａの両側縁部に夫々凸条部１４が足場板長手方向に一体に条設され、各凸条部１４にはその長手方向に凸部１５と凹部１６とが交互に連続する鋸歯状に形成されており、この凸条部１４とこれに形成された凸部１５及び凹部１６とによって滑り止めが構成される。また図示は省略するが、この足場板部材６の下側面ｂの両側縁部にも夫々凸条部が足場板長手方向に一体に条設され、各凸条部１４にはその長手方向に凸部と凹部とが交互に連続する鋸歯状に形成されていて、この凸条部１４とこれの凸部１５及び凹部１６とによって滑り止めが構成される。この図５において、１９は足場板部材６の上側面ａ及び下側面ｂの夫々両側縁部の間に条設された足場板長さ長手方向に延びる凸条部で、その突出高さは前記凸条部１４の突出高さよりも低い。
【００２０】
各足場板本体２，３を構成する各足場板部材４，５，６，７，８を製作するにあたり、各足場板部材４，５，６，７，８の上下側面ａ，ｂの両側縁部に夫々条設する凸条部１４は、アルミ材の押し出し成型時に同時に形成されるが、各凸条部１４にその長手方向に沿って凸部１５と凹部１６とを交互に連続するように形成するには、各足場板部材４，５，６，７，８の上下各側面ａ，ｂの両側縁部に条設されている凸条部１４，１４に対して、例えばラチェット歯形を有するラチェットホイールを押し付けて、ラチェット加工を施すことによって、その凸条部１４に、凸部１５と凹部１６とを交互に連続する鋸歯状に簡単容易に形成することができる。
【００２１】
上記のように構成される伸縮式足場板１によれば、各足場板部材４，５，６，７，８にはその上下各側面ａ，ｂの両側縁部に夫々凸条部１４が足場板長手方向に一体に条設されていて、各凸条部１４にその長手方向に凸部１５と凹部１６とが交互に連続する鋸歯状に形成されていることにより、この足場板１を使用する際に、作業者の靴等が足場板１の上面側（踏み面側）をその長さ方向と交差する（直交又は斜交する）方向に摺動するような時は、各足場板部材４，５，６，７，８の凸条部１４それ自体が滑り止めとして作用し、また作業者の靴等が足場板１の長さ方向に沿って摺動するような時には、各凸条部１４に形成されている凸部１５と凹部１６とが滑り止めとして作用することになり、それにより足場板１上における作業者の靴等に対し全方向に滑り止め効果を有効且つ十分に発揮して作業の安全性の向上を図ることができる。
【００２２】
この場合、各足場板部材４，５，６，７，８の凸条部１４は、その上側面ａの両側縁部のみに条設された凸条部であり、しかしてその上側面ａにおける両側縁部の凸条部１４，１４の間が一段低くなって凹溝を形成した状態となるから、特に足場板の長さ方向と交差する方向に対する作業者の靴等の滑りを有効に阻止し、その方向の滑り止め効果をより有効に発揮することができる。
【００２３】
以上の実施形態では、各足場板部材４，５，６，７，８の上側面ａ及び下側面ｂの夫々の両側縁部に夫々凸条部１４を足場板長手方向に一体に条設し、各凸条部１４をその長手方向に凸部１５と凹部１６とが交互に連続する鋸歯状に形成したものであるが、各足場板部材４，５，６，７，８の上側面ａにのみ、その両側縁部に夫々凸条部１４を足場板長手方向に一体に条設し、各凸条部１４を凸部１５と凹部１６とが交互に連続する鋸歯状に形成してもよい。
【００２４】
この実施形態のように、各足場板部材４，５，６，７，８の上側面ａ及び下側面ｂの夫々の両側縁部に夫々凸条部１４を足場板長手方向に一体に条設し、各凸条部１４を長手方向に凸部１５と凹部１６とが交互に連続する鋸歯状に形成した伸縮式足場板１によれば、この伸縮式足場板１の両端部を脚立、足場台、階段等の足場板保持構造物に載置して使用する場合に、各足場板部材４，５，６，７，８の下側面ｂ側の凸条部１４及びその凹凸部１５，１６が、その足場板保持構造物の接触面に対し滑り止め効果を発揮して、それらとの接地力を強め、それによって足場板の滑りを発生し難くする効果がある。
【００２５】
また、この実施形態では、各凸条部１４に形成される凸部１５を山形とし、凹部１６を逆山形として、これらの山形凸部１５と逆山形の凹部１６とを鋸歯状に形成しているが、凸部１５と凹部１６とを夫々矩形状として、凸部１５と凹部１６とが矩形状の歯形を形成するようにしてもよい。
【図面の簡単な説明】
【００２６】
【図１】(a) は本発明に係る伸縮式足場板の全体概略斜視図、(b) は(a) の矢印Ｘで示す部分の拡大図である。
【図２】図１の(b) のＹ−Ｙ線拡大断面図である。
【図３】(a) は足場板本体の構成する一つの足場板部材を示す一部拡大斜視図、(b)はそれを更に拡大した斜視図である。
【図４】(a) は足場板本体の構成する他の一つの足場板部材を示す一部拡大斜視図、 (b)はその断面で図である。
【図５】(a) は足場板本体の構成する更に他の一つの足場板部材を示す一部拡大斜視図、(b) はその断面図である。
【符号の説明】
【００２７】
１            伸縮式足場板
２，３        足場板本体
４〜８        足場板部材
１４          凸条部
１５          凸部
１６          凹部
２５，２６    伸縮操作用ハンドル
【図１】
0004567624.tif 000002
【図２】
0004567624.tif 000003
【図３】
0004567624.tif 000004
【図４】
0004567624.tif 000005
【図５】
0004567624.tif 000006